(57)【要約】  端末がハンドオーバーしても、移動元の基地局でそれまでカウントしたパケット数の情報を移動先の基地局に受け渡すことが可能な移動体通信システムを提供する。ＵＥはＴａｒｇｅｔ  ｅＮｏｄｅ  Ｂへ移動するが、Ｓｏｕｒｃｅ  ｅＮｏｄｅ  Ｂがハンドオーバーすることを決定し、Ｓｏｕｒｃｅ  ｅＮｏｄｅ  Ｂがそれまでカウントしたパケット数の情報をＴａｒｇｅｔ  ｅＮｏｄｅ  ＢへのＨａｎｄｏｖｅｒ  Ｒｅｑｕｅｓｔメッセージに載せて、Ｔａｒｇｅｔ  ｅＮｏｄｅ  Ｂに通知する。Ｔａｒｇｅｔ  ｅＮｏｄｅ  Ｂは、ＵＥからＨａｎｄｏｖｅｒ  Ｃｏｎｆｉｒｍメッセージを受信後、ＣＮ  Ｎｏｄｅに送信するＨａｎｄｏｖｅｒ  Ｃｏｍｐｌｅｔｅメッセージに、Ｓｏｕｒｃｅ  ｅＮｏｄｅ  Ｂからもらったパケット数の情報を載せて、ＣＮ  Ｎｏｄｅに通知する。
2008123140.tif 000002
【特許請求の範囲】
【請求項１】
無線端末と通信する基地局であって、
前記無線端末が前記基地局から第２の基地局にハンドオーバーする際に、
下りデータのデータ量に関する情報を、第２の基地局に送信する送信手段を有する基地局。
【請求項２】
前記下りデータは、前記基地局から前記無線端末に送信されるデータである、請求項１記載の基地局。
【請求項３】
前記下りデータは、前記基地局から前記無線端末への送信が成功したデータである、請求項１または２に記載の基地局。
【請求項４】
前記データ量に関する情報に、前記下りデータが送信された時間帯の時間情報を含む、請求項１乃至３のいずれか１項に記載の基地局。
【請求項５】
前記送信手段は、
前記データ量に関する情報を、ハンドオーバーを要求するメッセージで送信する、請求項１乃至４のいずれか１項に記載の基地局。
【請求項６】
前記基地局から前記第２の基地局へリソース開放の完了を示すメッセージを送信する第２の送信手段を有し、
前記第２の送信手段は、
前記ハンドオーバーの前に、前記リソース開放の完了を示すメッセージに、前記データ量に関する情報を載せて送信する、請求項１乃至４のいずれか１項に記載の基地局。
【請求項７】
前記無線端末との通信が終了した後に、
前記データ量に関する情報を、リソース開放の完了を示すメッセージをコアネットワークに送信する、請求項１乃至４のいずれか１項に記載の基地局。
【請求項８】
前記データ量に関する情報は、前記下りデータのパケットの数の情報である、請求項１乃至７のいずれか１項に記載の基地局。
【請求項９】
第１の基地局、第２の基地局および無線端末を有する無線通信システムにおいて、
前記無線端末は、
前記第１の基地局から第２の基地局へハンドオーバーし、
前記第１の基地局は、
前記ハンドオーバーの際に、下りデータのデータ量に関する情報を前記第２の基地局に送信し、
前記第２の基地局は、
前記データ量に関する情報を受信する、無線通信システム。
【請求項１０】
前記下りデータは、前記第１の基地局から前記無線端末に送信されるデータである、請求項９記載の無線通信システム。
【請求項１１】
前記下りデータは、前記第１の基地局から前記無線端末への送信が成功したデータである、請求項９または１０に記載の無線通信システム。
【請求項１２】
前記データ量に関する情報に、前記下りデータが送信された時間帯の時間情報を含む、請求項９乃至１１のいずれか１項に記載の無線通信システム。
【請求項１３】
前記第１の基地局は、
前記データ量に関する情報を、ハンドオーバーを要求するメッセージで送信する、請求項９乃至１２のいずれか１項に記載の無線通信システム。
【請求項１４】
前記第２の基地局は、
前記データ量に関する情報を、コアネットワークへのハンドオーバーを完了するメッセージで送信する、請求項９乃至１２のいずれか１項に記載の無線通信システム。
【請求項１５】
前記第１の基地局は、
前記ハンドオーバーの前に、前記リソース開放の完了を示すメッセージに、前記データ量に関する情報を載せて前記第２の基地局に送信する、請求項９乃至１２のいずれか１項に記載の無線通信システム。
【請求項１６】
前記第１の基地局と前記無線端末との通信が終了した後に、
前記データ量に関する情報を、リソース開放の完了を示すメッセージをコアネットワークに送信する、請求項９乃至１２のいずれか１項に記載の無線通信システム。
【請求項１７】
前記第２の基地局は、
前記データ量に関する情報を、コアネットワークへのハンドオーバー完了を報告するメッセージを送信する、請求項９乃至１２のいずれか１項に記載の無線通信システム。
【請求項１８】
前記第２の基地局と通信する第２のコアネットワークから、前記第１の基地局と通信する第１のコアネットワークに、ＵＥのコンテキスト情報を要求するメッセージを送信した後に、
前記第１のコアネットワークは、
ＵＥのコンテキスト情報を要求するメッセージに応答するメッセージに、これまで足し合わせた上り及び下りデータのデータ量に関する情報を前記データ量に関する情報として載せて、前記第２のコアネットワークに送信する、請求項９乃至１２のいずれか１項に記載の無線通信システム。
【請求項１９】
前記データ量に関する情報は、前記下りデータのパケットの数の情報である、請求項９乃至１８のいずれか１項に記載の無線通信システム。
【請求項２０】
無線端末に対する基地局の通信方法であって、
前記無線端末が前記基地局から第２の基地局にハンドオーバーする工程と、
該ハンドオーバーする際に下りデータのデータ量に関する情報を、第２の基地局に送信する工程を含む基地局の通信方法。
【請求項２１】
第１の基地局、第２の基地局および無線端末を有する無線通信システムの通信方法において、
前記無線端末が、前記第１の基地局から第２の基地局へハンドオーバーする工程と、
前記第１の基地局が、前記ハンドオーバーの際に、下りデータのデータ量に関する情報を前記第２の基地局に送信する工程と、
前記第２の基地局が、前記データ量に関する情報を受信する工程、を含む通信方法。
【請求項２２】
前記第１の基地局は、
前記データ量に関する情報を、ハンドオーバーを要求するメッセージで送信する、請求項２１項に記載の通信方法。
【請求項２３】
前記第２の基地局は、
前記データ量に関する情報を、コアネットワークへのハンドオーバーを完了するメッセージで送信する、請求項２１または２２に記載の通信方法。
【請求項２４】
前記第１の基地局は、
前記ハンドオーバーの前に、前記リソース開放の完了を示すメッセージに、前記データ量に関する情報を載せて前記第２の基地局に送信する、請求項２１乃至２３のいずれか1項に記載の通信方法。
【請求項２５】
前記第１の基地局と前記無線端末との通信が終了した後に、
前記データ量に関する情報を、リソース開放の完了を示すメッセージをコアネットワークに送信する、請求項２１に記載の通信方法。
【請求項２６】
前記第２の基地局は、
前記データ量に関する情報を、コアネットワークへのハンドオーバー完了を報告するメッセージを送信する、請求項２１に記載の通信方法。
【請求項２７】
前記第２の基地局と通信する第２のコアネットワークから、前記第１の基地局と通信する第１のコアネットワークに、ＵＥのコンテキスト情報を要求するメッセージを送信した後に、
前記第１のコアネットワークは、
ＵＥのコンテキスト情報を要求するメッセージに応答するメッセージに、これまで足し合わせた上り及び下りデータのデータ量に関する情報を前記データ量に関する情報として載せて、前記第２のコアネットワークに送信する、請求項２１に記載の通信方法。
【発明の詳細な説明】
【技術分野】
【０００１】
［関連出願の記載］
本発明は、日本国特許出願：特願２００７−０７４５５４号（２００７年３月２２日出願）の優先権主張に基づくものであり、同出願の全記載内容は引用をもって本書に組み込み記載されているものとする。
本発明は移動体通信システム及びその基地局に関し、特に移動体通信システムにおけるハンドオーバー時のパケット数（即ち、データ量）の情報に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）における移動体通信システムは、図７に示すようなアーキテクチャを目指している。このアーキテクチャはコントロール・プレイン及びユーザ・プレインの伝送遅延の短縮をはかり、既存システムより、例えばスループットの高いデータ転送が実現できるシステムを構築することを目的としている。【０００３】
事業者（オペレター）は、このシステムでユーザにサービスを提供し、料金を徴収するのであるが、その課金方法の一つは、ユーザの使ったパケット数分だけ徴収することが考えられる。【０００４】
ユーザの使ったパケット数分を課金するためには、ユーザの使ったパケット数分をカウントしなければならない。このカウントの方式は、上り（Ｕｐｌｉｎｋ）の場合、ネットワークが受信成功したパケット分だけカウントし、下り（Ｄｏｗｎｌｉｎｋ）の場合、ユーザが受信成功したパケット分だけカウントし、そのカウントした上り及び下りのパケット数分だけ課金することである。【０００５】
パケット数分のカウントする場所については、上りの場合、受信成功したパケット数をカウントするわけであるから、ネットワークのＣＮ（Ｃｏｒｅ  Ｎｅｔｗｏｒｋ）  Ｎｏｄｅがカウントするのが通常である。【０００６】
下りの場合、ネットワークが送信したパケットは、電波状態によって、ＵＥ（Ｕｓｅｒ  Ｅｑｕｉｐｍｅｎｔ）に必ずしも完全に届くとは限らない。例えば、パケット＃１、パケット＃２、パケット＃３をネットワークからＵＥに送信するが、パケット＃１とパケット＃２はＵＥで受信成功したが、パケット＃３はＵＥで受信失敗することがある。このようなことを考えて、ＵＥの方で受信成功したパケット分をカウントすることが考えられる。すなわち、ＵＥの自己申告によってカウントすることである。【０００７】
しかしながら、ＵＥがカウントすることになると、例えば悪質のＵＥ、あるいは改造されたＵＥが、実際の受信成功の数分より少ない数分をネットワークに報告することが考えられる。これを防ぐためには、下りパケット数分のカウント場所は、通常、ネットワークの方で行われる。そのメカニズムとして、ネットワークからＵＥへの送信した下りパケットに対して、ＵＥからの送達確認（Ａｃｋｎｏｗｌｅｄｇｅ）をネットワークが受信したことを確認し、下りのパケット数分をカウントすることである。【０００８】
この送達確認の機能を持つのは、ネットワークのｅＮｏｄｅ  ＢにあるＲＬＣ（Ｒａｄｉｏ  Ｌｉｎｋ  Ｃｏｎｔｒｏｌ）というエンティティであることから、下りの送信成功パケット数分は、ｅＮｏｄｅ  Ｂがカウントすることである。この様子を図９に示す。尚、図９に示すｅＮｏｄｅ  ＢからのＣＮ  Ｎｏｄｅに報告する“カウントした数をＣＮ  Ｎｏｄｅに報告”は、通常、ｅＮｏｄｅ  ＢとＵＥとの通信終了時、通信コネクションが切断される時に行われる。【０００９】
一方、このＬＴＥのアーキテクチャにおいて、一つのｅＮｏｄｅ  Ｂのカバーするエリアが狭い場合（例えば、都会のエリア）、ＵＥのｅＮｏｄｅ  Ｂ間移動によって、ｅＮｏｄｅ  ＢからＣＮ  Ｎｏｄｅへのハンドオーバー信号が極端に増加する可能性がある。そうすると、ＣＮに過度な信号負荷を与えることになる。【００１０】
ＣＮ  Ｎｏｄｅへのハンドオーバー信号負荷を抑えるため、移動元基地局（Ｓｏｕｒｃｅ  ｅＮｏｄｅ  Ｂ）と移動先基地局（Ｔａｒｇｅｔ  ｅＮｏｄｅ  Ｂ）との間に、直接にハンドオーバー信号をやり取りすることが考案されている。また、Ｔａｒｇｅｔ  ｅＮｏｄｅ  ＢがＳｏｕｒｃｅ  ｅＮｏｄｅ  Ｂから受信したハンドオーバー信号（図８のＨａｎｄｏｖｅｒ  Ｒｅｑｕｅｓｔメッセージ）で、ハンドオーバーが成功すれば、すなわちＴａｒｇｅｔ  ｅＮｏｄｅ  ＢがＵＥとの通信コネクションを確立完了すれば、Ｔａｒｇｅｔ  ｅＮｏｄｅ  ＢがＣＮ  ＮｏｄｅへＨａｎｄｏｖｅｒ  Ｃｏｍｐｌｅｔｅの一つの信号を送信するだけでハンドオーバー手順を完結するのである。【００１１】
ここで、Ｈａｎｄｏｖｅｒ  Ｃｏｍｐｌｅｔｅ信号名は例であって、他にも例えばＰａｔｈ  Ｓｗｉｔｃｈ、Ｂｉｎｄｉｎｇ  Ｕｐｄａｔｅ等の名称もあり、いずれも同一の意味を持つ。【００１２】
このＨａｎｄｏｖｅｒ  Ｃｏｍｐｌｅｔｅ信号を受信したＣＮ  Ｎｏｄｅは、ＵＥ向けのパスをＳｏｕｒｃｅ  ｅＮｏｄｅ  ＢからＴａｒｇｅｔ  ｅＮｏｄｅ  Ｂに切り替える。このようにして、ＣＮ  Ｎｏｄｅでのハンドオーバーによる信号負荷及び処理負荷を低減することができる。【００１３】
このハンドオーバー方式においても、移動元ｅＮｏｄｅ  Ｂがハンドオーバーする前にカウントした下りのパケット数の情報、すなわち図９の“カウントした数をＣＮ  Ｎｏｄｅに報告”は、ＣＮ  Ｎｏｄｅに報告しなければならない。さもなければ、移動元ｅＮｏｄｅ  Ｂがカウントしたパケット数分の課金ができなくなってしまう。【００１４】
従来のハンドーオーバー方式において（図１０に示す）、移動元ｅＮｏｄｅ  Ｂがカウントした数分は、ＣＮ  Ｎｏｄｅからのコネクション切断信号（Ｉｕ  Ｒｅｌｅａｓｅ  Ｃｏｍｍａｎｄ）をトリガに、移動元ｅＮｏｄｅ  ＢからＣＮ  Ｎｏｄｅに報告することである。具体的に、Ｓｏｕｒｃｅ  ｅＮｏｄｅ  Ｂは図１０のＩｕ  Ｒｅｌｅａｓｅ  Ｃｏｍｐｌｅｔｅメッセージで、カウントした方法をＣＮ  Ｎｏｄｅに報告するのである。【００１５】
尚、ハンドオーバーの場合でなくても、ＵＥとネットワークとの通信終了後に、上記と同様に、ＣＮ  Ｎｏｄｅからのコネクション切断信号（Ｉｕ  Ｒｅｌｅａｓｅ  Ｃｏｍｍａｎｄ）をトリガに、ｅＮｏｄｅ  ＢがＩｕ  Ｒｅｌｅａｓｅ  Ｃｏｍｐｌｅｔｅメッセージで、“カウントした数をＣＮ  Ｎｏｄｅに報告”の方法をＣＮ  Ｎｏｄｅに報告するのである。【００１６】
上述した移動体通信システムに関する技術としては、以下の特許文献に開示された技術がある。
【特許文献１】特開２００３−２８３５１０号公報
【特許文献２】特開２００７−０１３４６３号公報
【特許文献３】特表２００１−５１３２８５号公報
【発明の開示】
【発明が解決しようとする課題】
【００１７】
以上の特許文献１〜３の開示事項は、本書に引用をもって繰り込み記載されているものとする。以下に本発明による関連技術の分析を与える。
しかしながら、このＬＴＥのハンドオーバー方式においては、ＣＮ  ＮｏｄｅからＳｏｕｒｃｅ  ｅＮｏｄｅ  Ｂへのコネクション切断信号が存在しないため、Ｓｏｕｒｃｅ  ｅＮｏｄｅ  Ｂがカウントした分はＣＮ  Ｎｏｄｅに報告できないという問題がある。【００１８】
この問題は、Ｓｏｕｒｃｅ  ｅＮｏｄｅ  Ｂが、ＵＥのハンドオーバーする前に受信成功したパケット数分をＣＮ  Ｎｏｄｅに報告できないため、ＵＥのハンドオーバーする前に受信成功したパケット数分を正確に課金できなくなってしまうというさらなる問題にもたらす。【００１９】
そこで、本発明の目的は上記の問題点を解消し、端末がハンドオーバーしても、移動元の基地局でそれまでカウントしたパケット数（即ち、データ量）の情報を移動先の基地局に受け渡すことができる移動体通信システム（特にそのための基地局）を提供することにある。
【課題を解決するための手段】
【００２０】
本発明による移動体通信システムは、基地局から端末に下りのパケットを送信する移動体通信システムであって、
前記基地局からのＤａｔａ  Ｖｏｌｕｍｅ  Ｉｎｆｏｒｍａｔｉｏｎ（データ量情報）に下りのパケット数を含んでいる。【００２１】
すなわち、本発明の移動体通信システムは、端末（ＵＥ：Ｕｓｅｒ  Ｅｑｕｉｐｍｅｎｔ）が移動元基地局（Ｓｏｕｒｃｅ  ｅＮｏｄｅ  Ｂ）のエリアから移動先基地局（Ｔａｒｇｅｔ  ｅＮｏｄｅ  Ｂ）のエリアへの移動すること（ハンドオーバー）に伴って、移動元基地局が端末の移動前までに通信していたパケット数の情報を移動先基地局に転送し、移動先基地局がＣＮ  Ｎｏｄｅ［Ｃｏｒｅ  Ｎｅｔｗｏｒｋ、あるいはＥＰＣ（Ｅｖｏｌｖｅｄ  Ｐａｃｋｅｔ  Ｃｏｒｅ）と呼ぶこともある］にハンドオーバー完了（Ｈａｎｄｏｖｅｒ  Ｃｏｍｐｌｅｔｅ）を報告するメッセージに該パケット数の情報を載せて通知している。【００２２】
端末が移動元基地局のエリアから移動先基地局のエリアへ移動することに伴って、移動元基地局が端末の移動前までに通信していたパケット数の情報をＣＮ  Ｎｏｄｅにハンドオーバー完了を報告するメッセージ（Ｒｅｌｅａｓｅ  Ｒｅｓｏｕｒｃｅ  Ｉｎｄｉｃａｔｉｏｎ）に該パケット数の情報を載せて通知することと、ハンドオーバーによるＣＮ  Ｎｏｄｅの切り替え時に、切り替え元ＣＮ  Ｎｏｄｅが記憶していたＵＥのパケット数を、切り替え先ＣＮ  Ｎｏｄｅに通知している。【００２３】
これによって、本発明の移動体通信システムでは、ＵＥがｅＮｏｄｅ  Ｂ間にハンドオーバーしても、ｅＮｏｄｅ  Ｂでそれまでカウントしたパケット数の情報を、ＵＥの移動先ｅＮｏｄｅ  Ｂに受け渡すことが可能となる。つまり、本発明の移動体通信システムでは、例えば、ＵＥの通信終了後に、ｅＮｏｄｅ  Ｂがカウントした正確なパケット数をＣＮ  Ｎｏｄｅに報告することが可能となり、ＣＮ  Ｎｏｄｅが課金センターに報告することが可能となるので、正確に課金することが可能となる。【００２４】
また、本発明の移動体通信システムでは、ハンドオーバーによってＣＮ  Ｎｏｄｅが切り替えられても、それまでカウントしたパケット数の情報を切り替え元ＣＮ  Ｎｏｄｅから切り替え先に通知することによって、ＵＥの通信したパケット数の情報を課金センターに報告することが可能となるので、正確に課金することが可能となる。
以下、発明の各視点について記す。
本発明の第１の視点において、無線端末と通信する基地局が提供される。基地局は、無線端末が前記基地局から第２の基地局にハンドオーバーする際に、下りデータのデータ量に関する情報を、第２の基地局に送信する送信手段を有する。（基本形態１）
本発明の第２の視点において、第１の基地局、第２の基地局および無線端末を有する無線通信システムが提供される。無線端末は、第１の基地局から第２の基地局へハンドオーバーし、第１の基地局は、ハンドオーバーの際に、下りデータのデータ量に関する情報を第２の基地局に送信し、第２の基地局は、データ量に関する情報を受信する。
本発明の第３の視点において、無線端末に対する基地局の通信方法が提供される。即ち、無線端末が基地局から第２の基地局にハンドオーバーする工程と、該ハンドオーバーする際に下りデータのデータ量に関する情報を、第２の基地局に送信する工程を含むことを特徴とする。
本発明の第４の視点において、第１の基地局、第２の基地局および無線端末を有する無線通信システムの通信方法が提供される。即ち、無線端末が、第１の基地局から第２の基地局へハンドオーバーする工程と、第１の基地局が、ハンドオーバーの際に、下りデータのデータ量に関する情報を前記第２の基地局に送信する工程と、第２の基地局が、前記データ量に関する情報を受信する工程、を含むことを特徴とする。
【発明の効果】
【００２５】
本発明は、上記のような構成及び動作とすることで、端末がハンドオーバーしても、移動元の基地局でそれまでカウントしたパケット数の情報を移動先の基地局に受け渡すことができるという効果が得られる。
【図面の簡単な説明】
【００２６】
【図１】本発明の第１の実施例による移動体通信システムのハンドオーバー手順を示すシーケンスチャートである。
【図２】本発明の第１の実施例によるカウントした情報の報告の手順を示すシーケンスチャートである。
【図３】本発明の第１の実施例において報告するパケットの数の情報（Ｄａｔａ  Ｖｏｌｕｍｅ  Ｒｅｐｏｒｔ）を示す図である。
【図４】本発明の第２の実施例による移動体通信システムのハンドオーバー手順を示すシーケンスチャートである。
【図５】本発明の第３の実施例によるカウントした情報の報告の手順を示すシーケンスチャートである。
【図６】本発明の第５の実施例によるＣＮ  Ｎｏｄｅ間のカウント情報の受け渡しの手順を示すシーケンスチャートである。
【図７】従来のＬＴＥのネットワーク構成を示す図である。
【図８】従来のハンドオーバー手順を示すシーケンスチャートである。
【図９】従来のパケット数のカウントと報告の手順を示すシーケンスチャートである。
【図１０】従来のハンドオーバー方式における移動元ｅＮｏｄｅ  Ｂのカウントしたパケット数の報告の手順を示すシーケンスチャートである。
【発明を実施するための最良の形態】
【００２７】
本発明の展開形態として、各従属請求項に記載の構成が具体化される。
下りデータは、（第１）基地局から無線端末に送信されるデータであることが好ましい。（形態２）
下りデータは、（第１）基地局から無線端末への送信が成功したデータであることが好ましい。（形態３）
データ量に関する情報に、下りデータが送信された時間帯の時間情報を含む、ことが好ましい。（形態４）
送信手段は、データ量に関する情報を、ハンドオーバーを要求するメッセージで送信する、ことが好ましい。（形態５）
（第１）基地局から第２の基地局へリソース開放の完了を示すメッセージを送信する第２の送信手段を有し、第２の送信手段は、ハンドオーバーの前に、リソース開放の完了を示すメッセージに、データ量に関する情報を載せて送信する、ことが好ましい。（形態６）
無線端末との通信が終了した後に、データ量に関する情報を、リソース開放の完了を示すメッセージをコアネットワークに送信する、ことが好ましい。（形態７）
データ量に関する情報は、下りデータのパケットの数の情報である、ことが好ましい。（形態８）
第２の基地局は、データ量に関する情報を、コアネットワークへのハンドオーバーを完了するメッセージで送信する、ことが好ましい。（形態９）
第１の基地局は、ハンドオーバーの前に、リソース開放の完了を示すメッセージに、データ量に関する情報を載せて第２の基地局に送信する、ことが好ましい。（形態１０）
第１の基地局と無線端末との通信が終了した後に、データ量に関する情報を、リソース開放の完了を示すメッセージをコアネットワークに送信する、ことが好ましい。（形態１１）
第２の基地局は、データ量に関する情報を、コアネットワークへのハンドオーバー完了を報告するメッセージを送信する、ことが好ましい。（形態１２）
第２の基地局と通信する第２のコアネットワークから、第１の基地局と通信する第１のコアネットワークに、ＵＥのコンテキスト情報を要求するメッセージを送信した後に、第１のコアネットワークは、ＵＥのコンテキスト情報を要求するメッセージに応答するメッセージに、これまで足し合わせた上り及び下りデータのデータ量に関する情報をデータ量に関する情報として載せて、第２のコアネットワークに送信する、ことが好ましい。（形態１３）
次に、本発明の実施例について図面を参照して説明する。
【実施例１】
【００２８】
図１は本発明の第１の実施例による移動体通信システムのハンドオーバー手順を示すシーケンスチャートであり、図２は本発明の第１の実施例によるカウントした情報の報告の手順を示すシーケンスチャートであり、図３は本発明の第１の実施例において報告するパケットの数の情報（Ｄａｔａ  Ｖｏｌｕｍｅ  Ｒｅｐｏｒｔ）を示す図である。これら図１〜図３を参照して、本発明の第１の実施例による移動体通信システムの動作について説明する。【００２９】
尚、以下の説明では、本発明の第１の実施例による移動体通信システムが、
Ｓｏｕｒｃｅ  ｅＮｏｄｅ  Ｂ＝移動元基地局のこと
Ｔａｒｇｅｔ  ｅＮｏｄｅ  Ｂ＝移動先基地局のこと
ＵＥ（Ｕｓｅｒ  Ｅｑｕｉｐｍｅｎｔ）＝無線端末のこと、単に端末と呼ぶこともある
ＣＮ＝Ｃｏｒｅ  Ｎｅｔｗｏｒｋのこと、他にもＡＳＧＷ（Ａｃｃｅｓｓ  Ｇａｔｅｗａｙ）やＡｃｃｅｓｓ  Ａｎｃｈｏｒということがあるが、ＣＮはそれらの総称であり、これに限定されるものではない
という各装置から構成されているものとする。【００３０】
図１において、ＵＥはＳｏｕｒｃｅ  ｅＮｏｄｅ  Ｂと通信中であるとする。ＵＥはＴａｒｇｅｔ  ｅＮｏｄｅ  Ｂへ移動するが、Ｓｏｕｒｃｅ  ｅＮｏｄｅ  Ｂがハンドオーバーすることを決定し、Ｓｏｕｒｃｅ  ｅＮｏｄｅ  Ｂがそれまでカウントしたパケット数の情報（ＵＥが受信したパケット数）をＴａｒｇｅｔ  ｅＮｏｄｅ  ＢへのＨａｎｄｏｖｅｒ  Ｒｅｑｕｅｓｔメッセージに載せて、Ｔａｒｇｅｔ  ｅＮｏｄｅ  Ｂに通知する。【００３１】
Ｔａｒｇｅｔ  ｅＮｏｄｅ  Ｂは、ＵＥからＨａｎｄｏｖｅｒ  Ｃｏｎｆｉｒｍメッセージを受信後、ＣＮ  Ｎｏｄｅに送信するＨａｎｄｏｖｅｒ  Ｃｏｍｐｌｅｔｅメッセージに、Ｓｏｕｒｃｅ  ｅＮｏｄｅ  Ｂからもらったカウントしたパケット数の情報を載せて、ＣＮ  Ｎｏｄｅに通知する。ＣＮ  ＮｏｄｅはＴａｒｇｅｔ  ｅＮｏｄｅ  Ｂから送信されたカウントしたパケット数の情報を元に、これまで記憶した数に足し合わせて、メモリに記憶する。【００３２】
この方法は、
「Ｔｈｅ  ｅＮｏｄｅ  Ｂ  ｓｈａｌｌ  ｒｅｐｏｒｔ  ｔｏ  ｔｈｅ  ＣＮ  ｉｎ  ｔｈｅ  ＨＡＮＤＯＶＥＲ  ＣＯＭＰＬＥＴＥ  ｍｅｓｓａｇｅ  ｔｈｅ  ｄａｔａ  ｖｏｌｕｍｅ  ｉｎｆｏｒｍａｔｉｏｎ  ｉｆ  ｒｅｃｅｉｖｅｄ  ｆｒｏｍ  ｏｔｈｅｒ  ｅＮｏｄｅ  Ｂ  ｄｕｒｉｎｇ  ｔｈｅ  ｈａｎｄｏｖｅｒ  ｐｒｏｃｅｄｕｒｅ．」
あるいは、
「Ｔｈｅ  ｅＮｏｄｅ  Ｂ  ｉｆ  ｈａｓ  ｓｔｏｒｅｄ  ｔｈｅ  ｄａｔａ  ｖｏｌｕｍｅ  ｉｎｆｏｒｍａｔｉｏｎ  ｆｒｏｍ  ｏｔｈｅｒ  ｅＮｏｄｅ  Ｂ，  ｓｈａｌｌ  ｒｅｐｏｒｔ  ｔｏ  ｔｈｅ  ＣＮ  ｉｎ  ｔｈｅ  ＨＡＮＤＯＶＥＲ  ＣＯＭＰＬＥＴＥ  ｍｅｓｓａｇｅ  ｔｈｅ  ｄａｔａ  ｖｏｌｕｍｅ  ｉｎｆｏｒｍａｔｉｏｎ．」というように記述することができる。【００３３】
尚、ｅＮｏｄｅ  ＢからＣＮ  Ｎｏｄｅへのカウントしたパケット数の報告するタイミングは、図２に示すように、例えば、ＵＥの通信終了に伴って、ＣＮ  ＮｏｄｅがｅＮｏｄｅ  Ｂへリソースを解放するためにＳ１  Ｃｏｎｔｅｘｔ  Ｒｅｌｅａｓｅ  Ｒｅｑｕｅｓｔメッセージを送信し、ｅＮｏｄｅ  Ｂがリソース解放完了後にＳ１  Ｃｏｎｔｅｘｔ  Ｒｅｌｅａｓｅ  ＣｏｍｐｌｅｔｅメッセージをＣＮ  Ｎｏｄｅに返信するが、このＳ１  Ｃｏｎｔｅｘｔ  Ｒｅｌｅａｓｅ  Ｃｏｍｐｌｅｔｅメッセージで、これまでハンドオーバーによって他のｅＮｏｄｅ  Ｂからもらったカウントしたパケット数と、自分自身がカウントしたパケット数とを足し合わせた上で、ＣＮ  Ｎｏｄｅ報告するとしてもよい。【００３４】
ＣＮ  ＮｏｄｅはｅＮｏｄｅ  Ｂから受信したカウントしたパケット数の情報（下り）と、自分自身がカウントしたパケット数の情報（上り）とを、課金センターに報告する。【００３５】
Ｓｏｕｒｃｅ  ｅＮｏｄｅ  Ｂからの送信カウントしたパケット数の情報は、ＵＥへの送信成功した数分としてもよいが、ＵＥへの送信失敗した数分としても可能である。カウントしたパケット数の情報を送信失敗した数分の情報とした場合、ＣＮ  Ｎｏｄｅは、ＣＮ  Ｎｏｄｅが送信したパケット数分から送信失敗した数分を引いた数分が、送信成功した数分となる。これは、
送信成功したパケット数＝送信したパケット数−送信失敗したパケット数
という式で表される。【００３６】
図３に示すパケット数の情報は、Ｕｎｓｕｃｃｅｓｓｆｕｌｌｙ  Ｔｒａｎｓｍｉｔｔｅｄ  ＤＬ  Ｄａｔａ  Ｖｏｌｕｍｅ、即ち送信失敗した数分としているが、Ｓｕｃｃｅｓｓｆｕｌｌｙ  Ｔｒａｎｓｍｉｔｔｅｄ  ＤＬ  Ｄａｔａ  Ｖｏｌｕｍｅ、すなわち送信成功した数分としてもよい。【００３７】
このように、本実施例では、ＵＥがＳｏｕｒｃｅ  ｅＮｏｄｅ  ＢとＴａｒｇｅｔ  ｅＮｏｄｅ  Ｂとの間でハンドオーバーしても、Ｓｏｕｒｃｅ  ｅＮｏｄｅ  Ｂでそれまでカウントしたパケット数の情報を、ＵＥの移動先のＴａｒｇｅｔ  ｅＮｏｄｅ  Ｂに受け渡すことができる。本実施例では、例えば、ＵＥの通信終了後に、ｅＮｏｄｅ  Ｂがカウントした正確なパケット数をＣＮ  Ｎｏｄｅに報告することができ、ＣＮ  Ｎｏｄｅが課金センターに報告することができるので、正確に課金することができる。
【実施例２】
【００３８】
図４は本発明の第２の実施例による移動体通信システムのハンドオーバー手順を示すシーケンスチャートである。図４において、本実施例では、Ｓｏｕｒｃｅ  ｅＮｏｄｅ  ＢからＴａｒｇｅｔ  ｅＮｏｄｅ  ＢへＲｅｌｅａｓｅ  Ｒｅｓｏｕｒｃｅ  Ｃｏｍｐｌｅｔｅメッセージを設けて、このＲｅｌｅａｓｅ  Ｒｅｓｏｕｒｃｅ  Ｃｏｍｐｌｅｔｅメッセージに、Ｓｏｕｒｃｅ  ｅＮｏｄｅ  Ｂがハンドオーバーする前にカウントしたパケット数の情報を載せて送信する。【００３９】
本実施例では、例えば、Ｔａｒｇｅｔ  ｅＮｏｄｅ  Ｂがリソースの捕捉失敗等で、ハンドオーバー手順が失敗した場合、Ｓｏｕｒｃｅ  ｅＮｏｄｅ  ＢからのＨａｎｄｏｖｅｒ  Ｒｅｑｕｅｓｔメッセージでの情報転送の無駄をなくすことができる。【００４０】
尚、ｅＮｏｄｅ  ＢからＣＮ  Ｎｏｄｅへのカウントしたパケット数の報告するタイミングは、図２に示すように、例えば、ＵＥの通信終了に伴って、ＣＮ  ＮｏｄｅがｅＮｏｄｅ  Ｂへリソースを解放するためにＳ１  Ｃｏｎｔｅｘｔ  Ｒｅｌｅａｓｅ  Ｒｅｑｕｅｓｔメッセージを送信し、ｅＮｏｄｅ  Ｂがリソース解放完了後にＳ１  Ｃｏｎｔｅｘｔ  Ｒｅｌｅａｓｅ  ＣｏｍｐｌｅｔｅメッセージをＣＮ  Ｎｏｄｅに返信するが、このＳ１  Ｃｏｎｔｅｘｔ  Ｒｅｌｅａｓｅ  Ｃｏｍｐｌｅｔｅメッセージで、これまでハンドオーバーによって他のｅＮｏｄｅ  Ｂからもらったカウントしたパケット数と、自分自身がカウントしたパケット数とを足し合わせた上で、ＣＮ  Ｎｏｄｅに報告する。【００４１】
ＣＮ  ＮｏｄｅはｅＮｏｄｅ  Ｂから受信したカウントしたパケット数の情報（下り）と、自分自身がカウントしたパケット数の情報（上り）とを、課金センターに報告する。【００４２】
このように、本実施例では、ＵＥがｅＮｏｄｅ  Ｂとの間でハンドオーバーしても、ｅＮｏｄｅ  Ｂでそれまでカウントしたパケット数の情報を、ＣＮ  Ｎｏｄｅに受け渡すことができ、ＣＮ  Ｎｏｄｅが課金センターに報告することができるので、正確に課金することができる。
【実施例３】
【００４３】
図５は本発明の第３の実施例によるカウントした情報の報告の手順を示すシーケンスチャートである。この図５を参照して、本発明の第３の実施例によるカウントした情報の報告の手順について説明する。【００４４】
図５に示すように、ハンドオーバー実施後、Ｓｏｕｒｃｅ  ｅＮｏｄｅ  Ｂは、Ｔａｒｇｅｔ  ｅＮｏｄｅ  ＢからＲｅｌｅａｓｅ  Ｒｅｓｏｕｒｃｅを受信したら、これまでカウントしたパケット数の情報をＲｅｌｅａｓｅ  Ｒｅｓｏｕｒｃｅ  ＩｎｄｉｃａｔｉｏｎメッセージでＣＮ  Ｎｏｄｅに報告し、そのカウントしたパケット数の情報をＣＮ  Ｎｏｄｅがこれまでのカウントしたパケット数に足し合わせてメモリに記憶する。【００４５】
この後に、ＣＮ  Ｎｏｄｅが課金センターに報告するのは、例えば、図２において、ＵＥの通信終了に伴って、ＣＮ  Ｎｏｄｅがこれまでもらったカウントしたパケット数を課金センターに報告する。【００４６】
このように、本実施例では、ＵＥがｅＮｏｄｅ  Ｂとの間でハンドオーバーしても、ｅＮｏｄｅ  Ｂでそれまでカウントしたパケット数の情報を、ＣＮ  Ｎｏｄｅに受け渡すことができ、ＣＮ  Ｎｏｄｅが課金センターに報告することができるので、正確に課金することができる。
【実施例４】
【００４７】
移動体通信システムにおいては、パケット料金を時間帯によって違うようにすることがある。例えば、２３時以降のパケット料金が２３時以前の料金より安く設定することがある。これに対応するため、上記の本発明の第１の実施例では、Ｓｏｕｒｃｅ  ｅＮｏｄｅ  ＢがＴａｒｇｅｔ  ｅＮｏｄｅ  Ｂに通知するカウントしたパケット数の情報に、時間帯情報を設けることが可能である。例えば、図３のＤａｔａ  Ｖｏｌｕｍｅ  Ｒｅｆｅｒｅｎｃｅに時間情報を設けてもよい。
【実施例５】
【００４８】
図６は本発明の第５の実施例によるＣＮ  Ｎｏｄｅ間のカウント情報の受け渡しの手順を示すシーケンスチャートである。この図６に示すようなＬＴＥアーキテクチャにおいて、ハンドオーバーによって、ＵＥの移動先のｅＮｏｄｅ  Ｂが、ＣＮ  Ｎｏｄｅを変えることがある。【００４９】
これは、例えば、移動先のｅＮｏｄｅ  Ｂと移動前のＣＮ  Ｎｏｄｅとの距離が遠くなる場合、移動先のｅＮｏｄｅ  Ｂが距離の近いＣＮ  Ｎｏｄｅに切り替える。具体的に説明すると、図６において、ＵＥはｅＮｏｄｅ  Ｂ＃１、ＣＮ  Ｎｏｄｅ＃１と通信中とし、ハンドオーバーによって、ＵＥはｅＮｏｄｅ  Ｂ＃２へ移動するが、ｅＮｏｄｅ  Ｂ＃２とＣＮ  Ｎｏｄｅ＃１とはまだ問題にならないほどの距離であるため、ＣＮ  Ｎｏｄｅ＃１を変えない。【００５０】
この後に、ＵＥがさらにｅＮｏｄｅ  Ｂ＃３へ移動するが、ｅＮｏｄｅ  Ｂ＃３とＣＮ  Ｎｏｄｅ＃１との距離が大きくなるため、ｅＮｏｄｅ  Ｂ＃３は、ＣＮ  Ｎｏｄｅ＃３に切り替えるようにする。このハンドオーバーによるＣＮ  Ｎｏｄｅ切り替えによって、例えば、転送遅延の短縮につながるという効果がある。【００５１】
ハンドオーバーによるＣＮ  Ｎｏｄｅの切り替えは、切り替え先のＣＮ  ＮｏｄｅがこれでまＵＥの通信したパケット数の情報を持たないため、後にＵＥの通信終了時、課金センターへの報告時に、正確な情報を報告することができない。【００５２】
この問題を解消するため、本実施例では、図６に示すように、切り替え先のＣＮ  Ｎｏｄｅ＃３から切り替え元のＣＮ  Ｎｏｄｅ＃１に、Ｃｏｎｔｅｘｔ  ＲｅｑｕｅｓｔメッセージでＵＥのＣｏｎｔｅｘｔ情報を要求するが、切り替え元のＣＮ  Ｎｏｄｅ＃１がＣｏｎｔｅｘｔ  Ｒｅｓｐｏｎｓｅメッセージに、これまで足し合わせた上り及び下りのパケット数の情報を載せて、切り替え先のＣＮ  Ｎｏｄｅ＃３に通知する。【００５３】
ＣＮ  Ｎｏｄｅ＃３は、後にＵＥが通信を終了する時、図２に示すように、これまでもらったカウントしたパケット数を課金センターに報告する。【００５４】
このように、本実施例では、ハンドオーバーによってＣＮ  Ｎｏｄｅが切り替えられても、それまでカウントしたパケット数の情報を切り替え元のＣＮ  Ｎｏｄｅから切り替え先のＣＮ  Ｎｏｄｅに通知することによって、ＵＥの通信したパケット数の情報を課金センターに報告することができるので、正確に課金することができる。【００５５】
以上の操作は、コンピュータ読取り可能なプログラムによって実行され、基地局（第１、第２）、通信端末は、プログラム及び通信データを記憶する記憶装置を備えることは言うまでもない。【００５６】
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。
【図１】
2008123140.tif 000003
【図２】
2008123140.tif 000004
【図３】
2008123140.tif 000005
【図４】
2008123140.tif 000006
【図５】
2008123140.tif 000007
【図６】
2008123140.tif 000008
【図７】
2008123140.tif 000009
【図８】
2008123140.tif 000010
【図９】
2008123140.tif 000011
【図１０】
2008123140.tif 000012
【国際調査報告】
2008123140.tif 000013
2008123140.tif 000014